(57)【特許請求の範囲】
【請求項１】
足首付近から膝付近の範囲の下肢を覆うように筒状に形成した伸縮自在の布製の筒状部材と、該筒状部材の左右側面に取り付けられた一対の略Ｕ字ループ状牽引紐と靴下の履き口を係止する靴下係止部とから構成され、靴下装着の際は、前記筒状部材を細く畳んで靴下内部に挿入した後、筒状部材内部に装着者の脚部を挿入し、前記牽引紐を引き上げることにより、筒状部材が脚上方で移動するに連れて、靴下が筒状部材に従って脚の上方へ向けて移動し、足、下肢を覆い、さらに前記牽引紐を引き続けると前記筒状部材が靴下の内部から抜け出し、靴下係止部から靴下の履き口が離脱して履く動作が完了するようにされた靴下の装着用補助具において、筒状部材内側の布地は滑りやすいものとし、外側の材質は靴下に接する面に摩擦抵抗が大きく掛かるような粗い面を持つ布地とし、かつ、前記筒状部材がファスナーにより展開可能に構成されると共に、筒状部材の筒状体形を保形するために装着方向に沿って、且つ周方向に所定の間隔をもって配された可撓性のあるプラスチック製の少なくとも４本のガイド棒が内装され、前記靴下係止部を筒状部材表面に形成された複数の滑り止め突起と前記牽引紐の基端部に取付けられた前記靴下の履き口を挟持するサスペンダーとから構成したことを特徴とする靴下の装着用補助具。
【発明の詳細な説明】
【技術分野】
【０００１】
本発明は、靴下の装着動作が楽にできるように補助する用具、とくに、屈むことが困難な妊婦、膝痛・腰痛の患者、高齢者、片手しか使用できない身体障害者あるいは肥満者が使用して好適な靴下の装着用補助具に関するものである。
【背景技術】
【０００２】
高齢者や身体に障害があって掴む力や引っ張る力が低下した者にとって靴下を履く（装着する）動作は容易なことではなく、場合によっては他者の介護を必要とする。とくに、下肢の筋肉が衰えた高齢者等は足の爪先を持ち上げる能力の低下から突起物につまずいて転等する事故を起こしやすい。
【０００３】
このような転倒事故を防止する目的で爪先に引っ張り上げる力を生ずる特殊な靴下（転等防止靴下）、あるいは脚の静脈瘤治療用の靴下（静脈瘤症用靴下）等は弾性が大きい編み方や材質を採用して、履く時に特に大きい力を要する。このような靴下は履いた状態で大きい締め付け力を発生することが特徴であるから履いた状態と脱いでいる状態での靴下地の伸縮を大きくする必要があり、靴下の履き口が必然的に狭まり、一層履き難くなっている。
【０００４】
上記の転等防止靴下等は履き口から足先までのスペースが狭い上、きつい締め付け力を生ずるように弾性力を強くするように製作されており、その装着を容易にするには靴下内部に弾性体の部材や剛性ある部材を挿入して靴下を内部から押し広げ、あるいはプラスチックや金属の線材で形成した型枠状部材を靴下内部に挿入し内部から広げる方法が考えられる。他の方法としては、柔軟な材質の布またはシート状の材質をあらかじめ靴下内部に挿入しておき、挿入した布あるいはシート部材の間を通して足を靴下内に挿入することで装着を容易にすることも考えられる。
【０００５】
そこで、例えば、柔軟な布にポケットを２個設け、ポケットに手の指を入れてポケットの間の間隔を狭めることにより布を筒状に形成し、前記ポケットに入れた手の指をガイドに布を靴下内に挿入するようにしたもの（特許文献１参照。）。矩形平板状の対向する２辺に４分円筒状体を筒状になるように対峙して取り付け、矩形平板状の部分を袋状に覆ったり、または紐を設け、筒状体に予め靴下をセットしておき、靴下で覆われた筒状体を前方に投げ出し、袋状体または紐の端部を手繰り寄せながら筒状体の部分に足先を入れ、さらに手繰り寄せることにより、靴下を履くことができるようにしたもの、また、筒状体の対峙する辺に嵌合機構を設けて、靴下を履く易くしたもの（特許文献２参照。）。一対の棒状部材と、この一対の棒状部材の第１端部に連結した連結棒と、この一対の棒状部材の第２端部に結合したＵ字部とで構成した主フレームと、この主フレームに回動可能に支持した靴下の上面および両側面を保持する波形フレームで構成した保持フレームと、主フレームのＵ字部に設けた靴下の踵部を保持する係止部を備えたもの（特許文献３参照。）。下側に膨れるように湾曲した足案内板と、前記足案内板の先端側の両側部に設けられ且つ外側に膨れるように湾曲した左右の靴下引上板とを具備する補助具本体と、前記補助具本体のうち少なくとも靴下引上板が弾性部材で形成してあり、少なくとも靴下引上板及びこれらが設けられた足案内板の先端部分を靴下内に挿入するようにして使用するもの（特許文献４参照。）。布帛から成る袋状部と、紐装着端部を除いた袋状部内に挿入され、袋状部を折り畳んで棒状体を形成するとき、袋状部と共に折り畳み可能の補強板と、補強板よりも硬く且つ靴下に挿入される足の踵に沿って弾性変形可能の補強部材であって、棒状体の芯部を形成できるように、補強板の一面側にその中心軸に沿って装着されている第１の帯状補材と、補強材よりも硬く且つ袋状部と共に折り畳むことのできる弾性変形可能の補強部材であって、棒状体の先細状端部によって形成された端部を靴下内に挿入し、棒状体の形状保持力を解放したとき、靴下から突出する紐装着端部を含む突出部に人の足先が挿入できる隙間が形成できるように、紐装着端部内に挿入されている第２帯状補強材とを具備するもの（特許文献５参照）。靴下装着者の足の足底に接する底板部と、足の踵部及び甲部を左右両側から被うように底板部の後端部両側縁から一体に立ち上がる横断面略ハの字状の左右一対の側板部とからなる補助具本体、及びこの補助具本体の後端部に取り付けられたループ状の操作紐によって構成され、補助具本体の左右両側板部は底板部の上に折り重なるように弾性変形可能とされたもの（特許文献６参照）等、種々提案されている。
【０００６】
また、弾性体部材を靴下内に挿入して内部からスペースを拡大する発明の例として特許文献７に開示されたものがある。特許文献７では、弾性体である板状部材を丸めて靴下の履き口から内部へ挿入し、その後に丸めた板状部材を開放してその弾性により靴下を内部から膨らませ、履き口から足先部までを広げて容易に履くことができるようにしている。このような弾性材料や剛性のある材料で形成された部材を靴下内部に挿入する問題点としては、靴下を履いた後の前記部材の抜き取りが難しいこと、部材の硬さから靴下を損傷するおそれがある。
【０００７】
そこで、靴下内部に布等を挿入して装着を容易にするようにしたものの代表的な例として、特許文献８に示すように、足首付近から大腿部付近の範囲の下肢を覆うように筒状に形成した布製の筒状部材から構成され、装着の際は先ず前記筒状部材を細く畳んで履こうとする靴下や下着内部に挿入する。その後筒状部材内部に脚を入れ、筒状部材の端部であって靴下や下着を履こうとする者の上半身の方向に向う端部に取り付けた紐１５を同者の上半身方向へ向けて引っ張る。筒状部材の靴下や下着に接する側の面（外面）は摩擦の大きい材質を使用しており、前記の紐を引くことにより筒状部材が脚上方で移動するに連れて靴下や下着が摩擦力で筒状部材に従って脚の上方へ向けて移動し、足、下肢を覆う。さらに前記紐を引き続けると筒状部材が靴下や下着の内部から抜け出し履く動作が完了する。尚、筒状部材の内側の材質は滑りやすいものとし、同部材を脚から抜け易くしている。
【０００８】
特許文献８では、略矩形の布地の相対する２の片にファスナーを取り付け、同ファスナーの噛み合わせにより筒状部材を形成する発明も開示されている。靴下や下着の装着後に筒状部材をファスナーで開き、脚からの取り外しを容易にする工夫である。特許文献８に開示された方法は、布地を使用することにより弾性材料や剛性ある材料で形成した部材を使う特許文献７に開示された技術の問題点を解消しているものの、柔らかい布地で形成した筒状部材を靴下の内側に挿入する上での難しさという別の問題が生ずる。特に転等防止靴下等は履き口が狭いことを考慮すると筒状部材の靴下内への布の挿入がさらに容易になるように改善する必要がある。
【先行技術文献】
【特許文献】
【０００９】
【特許文献１】実用新案登録第３１４１７８０号公報
【特許文献２】特許第４２１８０３８号公報
【特許文献３】特許第４５００３６７号公報
【特許文献４】特開２００３−２２７００７号公報
【特許文献５】特開２０１０−２８４２９４号公報
【特許文献６】実用新案登録第３１４９３９１号公報
【特許文献７】特開２０００−３４２４３０号公報
【特許文献８】特開２００７−２４４７９０号公報
【発明の開示】
【発明が解決しようとする課題】
【００１０】
本発明は上記従来技術の課題に鑑み、柔軟な材質を使用した靴下の装着用補助具において、より一層容易な着脱を可能とする補助具を提供することを目的とするものである。
【課題を解決するための手段】
【００１１】
このため本発明の靴下の装着用補助具は、足首付近から膝付近の範囲の下肢を覆うように筒状に形成した伸縮自在の布製の筒状部材と、該筒状部材の左右側面に取り付けられた一対の略Ｕ字ループ状牽引紐と靴下の履き口を係止する靴下係止部とから構成され、靴下装着の際は、前記筒状部材を細く畳んで靴下内部に挿入した後、筒状部材内部に装着者の脚部を挿入し、前記牽引紐を引き上げることにより、筒状部材が脚上方で移動するに連れて、靴下が筒状部材に従って脚の上方へ向けて移動し、足、下肢を覆い、さらに前記牽引紐を引き続けると前記筒状部材が靴下の内部から抜け出し、靴下係止部から靴下の履き口が離脱して履く動作が完了するようにされた靴下の装着用補助具において、筒状部材内側の布地は滑りやすいものとし、外側の材質は靴下に接する面に摩擦抵抗が大きく掛かるような粗い面を持つ布地とし、かつ、前記筒状部材がファスナーにより展開可能に構成されると共に、筒状部材の筒状体形を保形するために装着方向に沿って、且つ周方向に所定の間隔をもって配された可撓性のあるプラスチック製の少なくとも４本のガイド棒が内装され、前記靴下係止部を筒状部材表面に形成された複数の滑り止め突起と前記牽引紐の基端部に取付けられた前記靴下の履き口を挟持するサスペンダーとから構成したことを特徴とする。
【発明の効果】
【００１６】
本発明は以下の優れた効果がある。
（１）剛性や弾性ある材料で構成した枠型等により靴下の履き口を拡大することをしないので、弾性体の枠や剛性のある枠のなかに足を挿入する必要がなく、靴下装着時に枠型と足が干渉することがなく装着の困難さがない。
（２）硬い材質を使用しないので靴下自体を損傷させるおそれがない。
（３）筒状部材を展開可能に形成し、自由に広げることができるので、足首など曲がり部分の挿脱動作を楽にできる。
（４）筒状部材にガイド棒を内装したので、筒状体の保形力を高めることができ使い易い。
（５）靴下係止部を、靴下の履き口を挟持するサスペンダー（クリップ）にすることで、靴下を筒状部材に正確かつ確実に装着できる。
【図面の簡単な説明】
【００１７】
【図１】本発明に係る靴下の装着用補助具を筒状に形成した状態を示す正面図である。
【図２】本発明に係る靴下の装着用補助具の展開図である。
【図３】本発明に係る靴下の装着用補助具の側面図である。
【図４】本発明に係る靴下の装着用補助具を靴下に挿入した状態を示す側面図である。
【図５】本発明に係る靴下の装着用補助具の使用状態（挿入状態）を示す平面図である。
【図６】本発明に係る靴下の装着用補助具の使用状態（履く動作完了状態）を示す斜視図である。
【図７】本発明に係る靴下の装着用補助具の使用状態（脱離状態）を示す斜視図である。
【発明を実施するための形態】
【実施例】
【００１８】
図１に示すように、本発明に係る靴下の装着用補助具は、概略、足首付近から膝付近の範囲の下肢を覆うように筒状に形成した伸縮自在の柔軟な布製の筒状部材１と、この筒状部材１に取り付けられた牽引紐３と靴下係止部であるサスペンダー４及び滑り止め（突起）５とから構成され、靴下装着の際は、筒状部材１を細く畳んで靴下７内部に挿入した後、筒状部材１内部に装着者の脚８を挿入し、牽引紐３を引き上げることにより、筒状部材１が脚８の上方で移動するに連れて、靴下７が筒状部材に従って脚８の上方へ向けて移動し、足、下肢を覆い、さらに牽引紐３を引き続けると筒状部材１が靴下７の内部から抜け出し、履く動作が完了するようにされている。
【００１９】
筒状部材１は、伸縮自在な布製で、ファスナー２により方向に展開可能に構成され、内側の材質（布地）は滑りやすいものとし、同部材を脚から抜けやすくすることが好ましい。また、外側の材質は靴下７に接する面に摩擦抵抗が大きく掛かるような粗い面を持つ材質（布地）であるとなおよい。
【００２０】
また、筒状部材１には、４本のガイド棒６が装着方向に沿って、且つ周方向に所定の間隔をもって配されて内装され、筒状体形を保形し、脚の挿入が容易にできるようにされている。ガイド棒６は可撓性のあるプラスチック製である。
【００２１】
本実施例では、靴下係止部として、筒状部材１の表面に形成された複数の突起５と、靴下７の履き口を挟持するサスペンダー（クリップ）４とを備えている。また、筒状部材１の靴下７に接する面に摩擦の大きい材質を使用して靴下係止部とするものでもよい。
【００２２】
尚、筒状部材の内側の材質は滑りやすいものとし、同部材を脚８から抜けやすくすることが好ましい。
【００２３】
図５乃至図７は本発明の装着補助具の使用方法を示す説明図である。先ず図５に示すように靴下７の内部にファスナー２を閉じて折り曲げた筒状部材１を挿入する。図６に示すように、さらに靴下内部に挿入した筒状部材１に中に足を入れる。そして、牽引紐３を引っ張りあげると、筒状部材１が脚８上方で移動するに連れて、靴下７が筒状部材１に従って脚８の上方へ向けて移動し、足、下肢を覆い、さらに牽引紐３を引き続けると筒状部材１が靴下７の内部から抜け出し、履く動作が完了する。そして、靴下７を履いたら、図７に示すようにさらに、ファスナー２を開いて、筒状部材１を展開して脚８から離脱させる。
【産業上の利用可能性】
【００２４】
介護家庭や介護事業者等に対して本発明に関る補助具を提供する必要性は高い。
【符号の説明】
【００２５】
１   筒状部（布）
１ａ 切欠き
２   ファスナー、面ファスナー又はボタン
３   牽引紐
４   サスペンダー
５   滑り止め（突起）
６   ガイド棒
７   靴下
【図１】
0005761527.tif 000002
【図２】
0005761527.tif 000003
【図３】
0005761527.tif 000004
【図４】
0005761527.tif 000005
【図５】
0005761527.tif 000006
【図６】
0005761527.tif 000007
【図７】
0005761527.tif 000008